【事件の表示】
　特願２０００−　４６１７０「階調記録方法」拒絶査定不服審判事件〔平成１３年　８月２８日出願公開、特開２００１−２３２８４４〕について、次のとおり審決する。
【結　論】
　本件審判の請求は、成り立たない。
【理　由】
第１　手続の経緯 
　本願は、平成１２年２月２３日の特許出願であって、拒絶理由通知に応答して平成１７年９月１６日付けで手続補正がされたが、平成１８年２月２８日付けで拒絶査定がされ、これを不服として同年４月６日付けで審判請求がされるとともに、同年４月２８日付けで明細書についての手続補正がされたものである。 
 　 
第２　平成１８年４月２８日付けの手続補正について
１．本件補正の内容
　平成１８年４月２８日付けの手続補正（以下、「本件補正」という。）における特許請求の範囲についての補正は、補正前（平成１７年９月１６日付け手続補正書参照）に 
「【請求項１】　１画素を複数のブロックに分けて各ブロックへのサーマルヘッドの通電を制御することで階調記録を行なう階調記録方法であって、前記複数のブロックは、１画素の整数倍の解像度を持つサーマルヘッドへの倍密通電数と分割通電数との組み合わせにより決定され、１画素毎の階調データに応じて、前記各ブロックを所定の順序で成長させて当該ブロックを構成するドットへの通電・非通電を決定することを特徴とする階調記録方法。」
とあったものを、 
「【請求項１】　１画素を複数のブロックに分割し、各ブロックへのサーマルヘッドの通電を制御することで階調表現を行なう階調記録方法であって、１画素のｎ倍（ｎは整数）の解像度を持つサーマルヘッドを用い、１画素を構成するブロックを主走査方向にｎ個、副走査方向に倍密通電と分割通電を組み合わせた通電回数個を配列させ、副走査方向にブロックの配列個数回の通電を行なう中で、１画素毎の階調データに応じて、前記各ブロックを所定の順序で成長させて当該ブロックを構成するドットへの通電、非通電を決定することを特徴とする階調記録方法。」
と補正するものである。 
 　 
　つまり、本件補正は、特許請求の範囲の補正として以下の補正事項を含む。
（補正事項）
　補正前の
「１画素を複数のブロックに分けて」、「階調記録を行なう階調記録方法」及び「前記複数のブロックは、１画素の整数倍の解像度を持つサーマルヘッドへの倍密通電数と分割通電数との組み合わせにより決定され」を、
補正後には
「１画素を複数のブロックに分割し、」、「階調表現を行なう階調記録方法」、及び「１画素のｎ倍（ｎは整数）の解像度を持つサーマルヘッドを用い、１画素を構成するブロックを主走査方向にｎ個、副走査方向に倍密通電と分割通電を組み合わせた通電回数個を配列させ、副走査方向にブロックの配列個数回の通電を行なう中で」
とする補正。
　 　 
２．本件補正の目的 
　補正前の「１画素を複数のブロックに分けて」及び「１画素の整数倍の解像度を持つサーマルヘッド」は、補正後の「１画素を複数のブロックに分割し」及び「１画素のｎ倍（ｎは整数）の解像度を持つサーマルヘッド」とそれぞれ技術的には同じことを意味する。
　補正前に「階調記録を行なう階調記録方法」とあることは、ドットへの通電による記録工程が終了した後の結果に着目しているのであり、補正後に「階調表現を行なう階調記録方法」とあることは、ドットへの通電に使うパターンに着目しているのであって、実際は、補正前後で、ドットへの通電による記録工程にもドットへの通電に使うパターンにも違いはない。
　以上のことを考慮すれば、上記（補正事項）は、１画素を分割した複数のブロックの構成の仕方を、補正前には「１画素の整数倍の解像度を持つサーマルヘッドへの倍密通電数と分割通電数との組み合わせにより決定され」としていた点を、補正後には「主走査方向にｎ個、副走査方向に倍密通電と分割通電を組み合わせた通電回数個を配列させ、副走査方向にブロックの配列個数回の通電を行なう中で」とすることで、主走査方向と副走査方向とに分けて定めたことに相当する。
　よって、上記（補正事項）は、発明を特定するために必要な事項を限定するものであり、平成１４年法律第２４号改正附則第３条第１項によりなお従前の例によるとされる同法による改正前の特許法第１７条の２第４項第２号に掲げる特許請求の範囲の減縮を目的とするものに該当する。
　
　また、本件補正は、願書に最初に添付した明細書及び図面に記載した事項の範囲内においてしたものと認められるから、平成１４年法律第２４号改正附則第３条第１項によりなお従前の例によるとされる同法による改正前の特許法第１７条の２第３項の規定に適合する。 
　
　そこで、本件補正後の請求項１に係る発明が、特許出願の際に独立して特許を受けることができるものであるかどうか（ 平成１８年法律第５５号改正附則第３条第１項によりなお従前の例によるとされる同法による改正前の特許法第１７条の２第５項において準用する同法第１２６条第５項に規定する要件を満たすか否か）について検討する。
　
３．独立特許要件について 
（１）本願補正発明 
　本件補正後の請求項１に係る発明は、本件補正により補正された特許請求の範囲【請求項１】に記載された事項によって特定される次のとおりのものと認める。 
「１画素を複数のブロックに分割し、各ブロックへのサーマルヘッドの通電を制御することで階調表現を行なう階調記録方法であって、１画素のｎ倍（ｎは整数）の解像度を持つサーマルヘッドを用い、１画素を構成するブロックを主走査方向にｎ個、副走査方向に倍密通電と分割通電を組み合わせた通電回数個を配列させ、副走査方向にブロックの配列個数回の通電を行なう中で、１画素毎の階調データに応じて、前記各ブロックを所定の順序で成長させて当該ブロックを構成するドットへの通電、非通電を決定することを特徴とする階調記録方法。」（以下、「本願補正発明」という。） 
 　 
（２）引用発明
　原査定の拒絶の理由に引用され、本願の出願前に頒布された特開平７−２３７３１３号公報（以下、「引用例」という。）には、以下の（ア）〜（エ）の記載が図示と共にある。 　
（ア）「【請求項１】（Ａ）複数の発熱素子を主走査方向に配列したサーマルヘッドを用い、このサーマルヘッドが記録紙上で副走査方向に移動する間に、各発熱素子を選択的に駆動して副走査方向に伸びた副サブライン上のセルにインクドットを記録し、各行の端がオーバーラップするように、１行の記録後に記録紙を主走査方向に移動するシリアルサーマルプリント方法において、
（Ｂ）隣接するＮ（２以上の整数）本の副サブラインで、主走査方向がＮ個，副走査方向がＭ（２以上の整数）個のセルからなる１個の画素を配列した画素列を形成すること，
（Ｃ）１個の画素内の各セルに、画素の階調レベルに応じたインクドットパターンとなるようにインクドットを記録すること，Ｎ本の副サブラインのうち１個の画素内に存在するＮ個の副サブライン部分の中から、少なくとも１本の第１優先副サブライン部分と、これに隣接する少なくとも１本の第２優先副サブライン部分とを決め、この第１優先副サブライン部分は、第２優先副サブライン部分の全てのセルにインクドットが記録される階調レベルよりも低い階調レベルで、第１優先副サブライン部分の全てのセルにインクドットが記録されるようにすること，
（Ｄ）隣接する２つの行によるオーバーラッブが、少なくとも１本の第１優先副サブライン部分で行われるように、記録紙の送り量を決定するとともに、第ｎ行の下方の副サブラインと次に記録される第（ｎ＋１）行の上方の副サブラインとで、行の境界上に位置する１本の画素列を形成するように、この画素列を２回に分けて記録すること
（Ｅ）を特徴とするシリアルサーマルプリント方法。」（ただし、後に（ア）の記載を引用することに備えて、当審で便宜的に（Ａ）〜（Ｅ）の５箇所に分けて符号を付した。）
　
（イ）「【００１２】１画素を構成する副サブライン部分は２個以上であればよい。階調表現性が高く、低階調からなめらかにつなぎ目を補正するには、４本以上がよい。４本以上の場合には、第１優先副サブライン部分の位置は、画素列の中央側に位置させるのがよい。そして、これに隣接して第２優先副サブライン部分を配置し、これらの第１及び第２優先副サブライン部分を挟むように、第３及び第４優先副サブライン部分を配置するのがよい。
　
（ウ）「【００１４】各画素のドットパターンとしては、第１優先副サブライン部分のセルの１つからインクドットの記録が開始され、階調レベルが高くなるにつれてインクドットが記録されるセルの個数が増えてゆき、この第１優先副サブライン部分の全てのセルにインクドットが記録された後は、第２優先副サブライン部分のセルの記録が開始されるようなパターンが用いられる。この際に、第１及び第２優先副サブライン部分では、端から順番に記録する他に、画素の中央付近にあるセルから記録を開始し、階調レベルが１ステップ上がる毎に、その両側のセルに交互にインクドットを記録してゆくのがよい。」
　
（エ）「【００２２】記録時には、インクリボン１５がサーマルヘッド１０によって背後から記録紙１２に密着されるとともに、リボンカセット１６がサーマルヘッド１０と一緒にヘッド移動機構１１によって副走査方向に移動される。サーマルヘッド１０は、インクリボン１５の背後を加熱し、溶融又は軟化したインクを記録紙１２に転写する。このインクは、図３において、仮想的に表したセル２２内に付着し、インクドットを形成する。１行の記録が終了すると、サーマルヘッド１０及びリボンカセット１６は、初期位置に戻されるとともに、記録紙１２が主走査方向に１行の幅より僅かに少なく搬送される。
【００２３】図３において、サーマルヘッド１０には、例えば１４４個の発熱素子１０ａ1 ，１０ｂ1 ，１０ｃ1 ，１０ｄ1 ，１０ａ2 ，１０ｂ2 ，・・・，１０ｃ36，１０ｄ36が主走査方向に沿って配列されている。各発熱素子は、主走査方向の長さがＬ１（例えば、７０μｍ），副走査方向の長さがＬ２（例えば、１００μｍ）の矩形状をしている。例えば、４個の発熱素子１０ａ1 ，１０ｂ1 ，１０ｃ1 ，１０ｄ1 は、１本の主走査方向サブライン（以下、主サブラインという）２４だけ送られる毎に駆動され、４本の副サブライン（副走査方向サブライン）２１Ａ〜２１Ｄを記録する。主サブライン２４の幅は、発熱素子の副走査方向の長さＬ２と同じである。
【００２４】隣合う２行の端で副走査方向に伸びた１画素列を形成するために、本実施例では、１行が１４１個の発熱素子で記録され、そして規定の紙送り量は１４０個の発熱素子の主走査方向の長さ（Ｌ１×１４０）となっている。最上端の画素Ｐ1 は２個の発熱素子１０ｃ1 ，１０ｄ1 で記録し、次の画素Ｐ2 は４個の発熱素子１０ａ2 〜１０ｄ2 で記録し、そして最下端の画素Ｐ36は３個の発熱素子１０ａ36，１０ｂ36，１０ｃ36で記録する。そして、発熱素子１０ｃ36は次行と重複記録を予定している副サブライン２１Ａを記録する。発熱素子１０ｃ36は、上の発熱素子１０ｂ36と同じ駆動データにより駆動され、副サブライン２１Ａは直ぐ上の副サブライン２１Ｂと同じ状態で記録される。なお、画素Ｐ2 のセル２２内に記した番号１〜３２は、インクドットが記録される階調レベルを表しており、例えば階調レベル「５」では、数字「１」〜「５」を付したセルにインクドットが記録される。また、画素Ｐ1 ，Ｐ36のセル内に記した「０」は、発熱素子を発熱させない駆動データを示している。また、第１行目の上端及び最終行の下端の画素は隣の行が存在しないので、４個の発熱素子を用いて、画素の階調レベルに応じたインクドットを記録してもよい。
【００２５】１画素は、主走査方向に４個，副走査方向に８個のセル２２で構成され、３２階調を表現する。各画素は、副サブラインの一部によって構成されているから、図４に示すように、副サブラインのうち１画素内にある部分を副サブライン部分と称する。図４に示すように、インクドットの記録は、３列目の副サブライン２１Ａの一部を構成する第１優先副サブライン部分２１ａのセルから開始される。階調レベルが高くなるに従って、中央のセルから左右のセルが交互に記録される。第１優先副サブライン部分２１ａの全てのセルが記録されてから、２列目の第２優先副サブライン部分２１ｂのセルの記録に移行する。第２優先副サブライン部分２１ｂの全てのセルの記録が終わると、画素の中央部が上下に突出するように第３優先副サブライン部分２１ｃ，第４優先副サブライン部分２１ｄ上にインクドットが記録される。すなわち、１画素に記録されるインクドットパターンの形状は、階調レベルが高くなるに従って、点→横線→逆Ｔ字→十字→矩形と変化する。」
　
　上記、（ア）の（Ａ）と（Ｂ）、及び（エ）によれば、サーマルヘッドには主走査方向に複数（（エ）の【００２３】によれば、例えば１４４個）の発熱素子が配列し、発熱素子が駆動されることで記録紙上にインクドットが記録され、これがセルであり、サーマルヘッドが副走査方向に移動する間に発熱素子が駆動されることにより、副走査方向にもセルへの記録がなされ、主走査方向にＮ（２以上の整数）個、副走査方向にＭ（２以上の整数）個のセルで１画素が形成される。（エ）の【００２５】によれば、例えばＮ＝４，Ｍ＝８である。この場合、１４４＝４×３６であるから主走査方向には３６個の画素が形成され、（エ）の【００２４】ではこの３６個の画素を上から順にＰ1 、Ｐ2、・・・Ｐ36と名づけている。 
　
　上記（ア）の（Ｃ）によれば、１個の画素内の各セルに、画素の階調レベルに応じたインクドットパターンとなるようにインクドットを記録する。
　そして、上記、（ア）の（Ｃ）、（イ）、（ウ）によれば、サーマルヘッドが副走査方向に移動する間に発熱素子が駆動されることにより各発熱素子毎に副走査方向にセルが形成されたラインである１画素当りＮ本の副サブラインに、第１優先副サブライン、第２優先副サブラインの優先度と、各優先副サブラインにおいて、副走査方向に並ぶ８個のセルのどれから画素の階調レベルに応じて駆動されるかの順序（引用例の【図３】で１つの画素Ｐ2またはＰ35の４×８＝３２個のセルに数字が割り振られた点参照）を割り振ることにより、上記（エ）の【００２５】にいうように「１画素に記録されるインクドットパターンの形状は、階調レベルが高くなるに従って、点→横線→逆Ｔ字→十字→矩形と変化する」ようにされている。つまり、１画素毎の階調データに応じて、１画素を構成する各セルを所定の順序で成長させるようにセルを形成する発熱素子の駆動、非駆動が決定されている。（この成長の様子が引用例の【図４】に示されている。）
　
　上記（ア）の（Ｄ）の隣接する２つの行の間で副サブラインをオーバーラップさせる記録は、上記（エ）の【００２４】によれば、主走査方向に３６個並んだ画素のうちの一番上のＰ1と一番下のＰ36のみが関与し、その間にあるＰ2〜Ｐ35の画素は関与しない（隣接する画素の副サブラインはオーバーラップせず、各画素を形成するセルの記録は独立して行われる）。
　
　以上のことから、上記（ア）〜（エ）の記載を含む引用例には、次の発明が記載されていると認めることができる。 
「１画素を複数のセルに分割し、各セルへのサーマルヘッドの通電を制御することで階調表現を行なう階調記録方法であって、１画素のＮ倍（Ｎは２以上の整数）の解像度を持つサーマルヘッドを用い、１画素を構成するセルを主走査方向にＮ個、副走査方向にＭ個（Ｍは２以上の整数）配列させ、副走査方向にセルの配列個数Ｍ回の通電を行なう中で、１画素毎の階調データに応じて、前記各セルを所定の順序で成長させて当該セルを構成する発熱素子への通電、非通電を決定することを特徴とする階調記録方法」（以下、「引用発明」という。） 
　　 
（３）対比 
（ａ）引用発明の「セル」は、本願補正発明の「ブロック」に相当する。
　
（ｂ）本願明細書の段落【０００３】には「サーマルヘッドに対する通電時間」、「１ドットの通電時間」、同【０００５】には「サーマルヘッドの複数の発熱素子に選択的に通電」、とあって、通電する対象について種々の表現がなされているものの、本願補正発明における「ドットへの通電」が、サーマルヘッドが備える複数の発熱素子のそれぞれへの通電であることは明らかである。
　よって、引用発明の「発熱素子」は、本願補正発明の「ドット」に相当する。
　
（ｃ）２以上の整数は整数全体に含まれるから、引用発明の「１画素のＮ倍（Ｎは２以上の整数）の解像度を持つサーマルヘッドを用い」は、本願補正発明の「１画素のｎ倍（ｎは整数）の解像度を持つサーマルヘッドを用い」に相当する。
　
（ｄ）引用発明の「１画素を構成するセルを主走査方向にＮ個、副走査方向にＭ個（Ｍは２以上の整数）配列させ、副走査方向にセルの配列個数Ｍ回の通電を行なう」について、主走査方向の構成である「１画素を構成するセルを主走査方向にＮ個」は、上記（ｂ）で検討したのと同様に、本願補正発明の「１画素を構成するブロックを主走査方向にｎ個」と相当関係にある。
　副走査方向の構成である「副走査方向にＭ個（Ｍは２以上の整数）を配列させ、副走査方向にセルの配列個数Ｍ回の通電を行なう」は、ブロック（セル）の副走査方向での配列個数回の通電を行なう点で、本願補正発明の「副走査方向に倍密通電と分割通電を組み合わせた通電回数個を配列させ、副走査方向にブロックの配列個数回の通電を行なう」と共通している。
　
（ｅ）引用発明の「１画素毎の階調データに応じて、前記各セルを所定の順序で成長させて当該セルを構成する発熱素子への通電、非通電を決定する」は、１画素毎の階調データに応じて、「ブロック」（セル）を所定の順序で成長させて当該「ブロック」（セル）を構成する「ドット」（発熱素子）への通電、非通電を決定する点で、本願補正発明の「１画素毎の階調データに応じて、前記各ブロックを所定の順序で成長させて当該ブロックを構成するドットへの通電、非通電を決定する」と共通している。
　　
　してみれば、本願補正発明と引用発明とは、以下の点で一致し、以下の点で相違する。
　
＜一致点＞ 
「１画素を複数のブロックに分割し、各ブロックへのサーマルヘッドの通電を制御することで階調表現を行なう階調記録方法であって、１画素のｎ倍（ｎは整数）の解像度を持つサーマルヘッドを用い、１画素を構成するブロックを主走査方向にｎ個、副走査方向に通電回数個を配列させ、副走査方向にブロックの配列個数回の通電を行なう中で、１画素毎の階調データに応じて、前記各ブロックを所定の順序で成長させて当該ブロックを構成するドットへの通電、非通電を決定することを特徴とする階調記録方法。」
　
＜相違点＞ 
　本願補正発明は「副走査方向に倍密通電と分割通電を組み合わせた通電回数個を配列させ、副走査方向にブロックの配列個数回の通電を行なう中で」と特定されているのに対し、引用発明は前記特定を有しない点。
  　 
（４）判断
　本願明細書の【０００９】の「副走査方向の通電は、前記各ブロックの副走査方向幅毎に行う分割通電とする」等の記載から、本願補正発明の「分割通電」とは、あるブロックに係る通電を行い、それが済むとサーマルヘッドをブロックの幅分副走査して隣接するブロックの位置に移動させ、そのブロックに係る通電を行うという、時間経過とともに順に各ブロックへなされる通電を意味することは明らかである。
　そして、本願明細書の【００１２】の「さらに、サーマルヘッドの印字データを図２に示すような２×２分割＝４ドットのディザマトリクスとした場合には、サーマルヘッドの各１ドットに対し倍密通電することで、図３に示すように、副走査方向に４ブロックを形成することができる。これで受信データの１ドットを副走査方向４００ｄｐｉとする倍密印字データとすることで８階調分のブロックで表現することが可能となる。」等の記載から、本願補正発明の「倍密通電」とは、各ブロックについて１回だけドットの通電、非通電をしていたのを２回通電することで、例えば副走査方向に４個並んだブロックに各１回計４回のドットの記録を行っていたのを２回×４回＝８回の記録を行うことで、実質８個のブロックがあるのと同様な表現をなすことと解される。
　一方、引用発明でも、１画素を構成するセルを副走査方向にＭ個（Ｍは２以上の整数）配列させ、副走査方向にセルの配列個数Ｍ回の通電を行なっているから、「分割通電」を行っている。ただし、「倍密通電」は行っていない。
　しかしながら、１つの画素を形成する副走査方向の複数個のブロックへの印字において、各ブロックに２回印字することで２倍の数のブロックがあるのと同様な表現をなすことは周知技術である。例えば、本願出願前に頒布された刊行物である特開平１１−１０５３２０号公報には、ヘッド発熱体Ｈの幅分だけ順次副走査方向に４回移動し、各移動位置で１回印字して副走査方向に４ドットであったのを、各移動位置でドット位置をずらして（具体的にはヘッド発熱体Ｈの幅の半分だけ副走査方向に移動させて）２回印字することで、解像度を２倍の８ドット相当にすることが記載されている（特に、同公報の「【００３９】すなわち、記録紙７に対し印字ヘッド３をそのヘッド発熱体Ｈの幅分だけ順次移動させて印刷を行なう１印字周期Ｔ内に、一定間隔の前半，後半のタイミングｔ1 ，ｔ2 で２回ヘッド発熱体Ｈに通電制御し、転写されるべくドット位置を１印字周期Ｔ内で２回ずらすように制御することにより、１印字周期Ｔにおいて、ヘッド発熱体Ｈの幅Ｗだけ転写される印刷状態とヘッド発熱体Ｈの幅Ｗの１．５倍の幅１．５Ｗで転写される印刷状態との２つの階調を得ることができる。【００４０】　つまり、図１１で示したような、１画素の面積がヘッド発熱体Ｈの縦横４倍の面積で同じであっても、印字ヘッド３を主走査方向へ移動させる１印字周期Ｔ内に一定間隔のタイミングｔ1 ，ｔ2 で２回の通電を行なうように制御することにより、単純には１画素の横方向の解像度が２倍となり、縦４ドット×横８ドットの３２ドットの解像度を得ることができる。」との記載参照）。つまり、同公報には、４個のブロックに対する４回の「分割通電」に「倍密通電」を組み合わせることで、具体的には、ヘッド発熱体Ｈの幅分だけ順次副走査方向に４回移動して４個のブロックに各１回印字していたのを、各回の移動にヘッド発熱体Ｈの幅の半分だけの副走査方向への移動を加えることで、８個のブロックに各１回印字している。
　よって、引用発明において、本願補正発明の＜相違点＞に係る構成を備えることは、引用例の記載、及び周知技術に基づいて、当業者が容易に想到できたことである。
　また、本願発明の効果は、引用発明、引用例の記載、及び周知技術から予測し得る範囲内のものである。
　したがって、本願補正発明は、引用発明、引用例の記載、及び周知技術に基づいて、当業者が容易に発明をすることができたものであるから、特許法第２９条第２項の規定により、特許出願の際独立して特許を受けることができない。 
 　 
　本願補正発明は、特許出願の際独立して特許を受けることができないものであるから、平成１８年法律第５５号改正附則第３条第１項によりなお従前の例によるとされる同法による改正前の特許法第１７条の２第５項において準用する同法第１２６条第５項に規定する要件を満たしていない。
　
４．本件補正についてのむすび 
　上記「３．独立特許要件について」に記載のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について 
１．本願発明の認定 
　平成１８年４月２８日付けの手続補正は上記のとおり却下されたので、本願の請求項１に係る発明は、平成１７年９月１６日付けで補正された特許請求の範囲の【請求項１】に記載された事項によって特定される次のとおりのものと認める。
「１画素を複数のブロックに分けて各ブロックへのサーマルヘッドの通電を制御することで階調記録を行なう階調記録方法であって、前記複数のブロックは、１画素の整数倍の解像度を持つサーマルヘッドへの倍密通電数と分割通電数との組み合わせにより決定され、１画素毎の階調データに応じて、前記各ブロックを所定の順序で成長させて当該ブロックを構成するドットへの通電・非通電を決定することを特徴とする階調記録方法。」（以下、本願発明という。）
　
２．引用例の記載
　原査定の拒絶の理由に引用された引用例、及びその記載事項は、上記「第２　平成１８年４月２８日付けの手続補正について　（２）引用発明」に記載したとおりである。
 　 
３．対比・判断
　本願発明は、上記「第２　平成１８年４月２８日付けの手続補正について　３．独立特許要件について」で検討した本願補正発明の発明特定事項から、１画素を分割した複数のブロックの構成の仕方に関する限定を省いたものに相当する。
　
　すると、本願発明の構成要件をすべて含み、さらに他の構成要件を付加したものに相当する本願補正発明が、上記「第２　平成１８年４月２８日付けの手続補正について　３．独立特許要件について」に記載したとおり、引用発明、引用例の記載、及び周知技術に基づいて、当業者が容易に発明をすることができたものであるから、本願発明も、同様の理由により、引用発明、引用例の記載、及び周知技術に基づいて、当業者が容易に発明をすることができたものである。
 　 
４．　むすび 
　以上のとおり、本願発明は、引用発明、引用例の記載、及び周知技術に基づいて、当業者が容易に発明をすることができたものであるから、特許法第２９条第２項の規定により特許を受けることができない。 
　したがって、本願は拒絶を免れない。 
　よって、結論のとおり審決する。